(57)【特許請求の範囲】
【請求項１】
被写体のＸ線画像をフラットパネルディテクタで撮影するＸ線画像撮影装置において、   前記フラットパネルディテクタ内に、被写体の特定情報の読み込み装置と、被写体の特定情報の記憶回路を内蔵し、
前記撮影の直前もしくは直後に、前記被写体の特定情報を読み込み、前記被写体の特定情報と前記被写体の画像情報とを一体化して、前記フラットパネルディテクタに内蔵するメモリに保存することを特徴とするＸ線画像撮影装置。
【請求項２】
前記フラットパネルディテクタ内に内蔵されたメモリに保存された被写体の特定情報と画像情報を、前記フラットパネルディテクタから電磁波を用いて信号処理システムに送ることを特徴とする請求項１に記戴のＸ線画像撮影装置。
【請求項３】
キーボードから入力した被写体の特定情報を読み込むことを特徴とする請求項１または請求項２に記載のX線画像撮影装置。
【請求項４】
記憶媒体に記録された被写体の特定情報を読み込むことを特徴とする請求項１または請求項２に記載のＸ線画像撮影装置。
【請求項５】
バーコード化した被写体の特定情報を読み込むことを特徴とする講求項１または請求項２に記載のＸ線画像撮影装置。
【請求項６】
前記被写体の特定情報に基づき、その被写体を表現する名称や帰属する属属性と画像情報とを同一画面もしくは同一フィルム上に表示することを特徴とする請求項１乃至請求項５いずれか１項に記載のＸ船画像撮影装置。
【発明の詳細な説明】
【０００１】
【発明の属する技術分野】
この発明は、Ｘ線画像撮影装置に関するものである。
【０００２】
【従来の技術】
医用画像分野において、従来のＸ線画像撮影は増感紙とフィルムを用いるいわゆるスクリーン・フィルムシステムが長く使用されてきた。このシステムの医用画像はアナログ画像であって、その画像の作成や転送には様々な工程を経なければならず、一定の時間を要するのが通常である。一方、医用画像のデジタル技術が開発され、特にフラットパネルディテクタ（ＦＰＤ）で撮影するシステムでは画像の作成や転送が瞬時に行えるようになってきた。
【０００３】
また、医療現場は多数の患者を一度に対応せねばならない場面が多く、こうした時の患者の取り違える事故が発生している。この問題は医療当事者の過誤も一方では指摘されているが、このような事故の発生を防がねばならない。このために、撮影した医用画像とその患者の特定は厳密に行わればならない。
【０００４】
ここで言うフラットパネルディテクタとは、被写体を通過して照射されるＸ線エネルギーを、Ｘ線透過画像として再構成するための電気信号に変換する機能を有し、画像診断のために必要な人体の部分を十分に覆う面積の平面をもつ、平板状のＸ線画像平面検出器を言う。
【０００５】
例えば、従来のスクリーン・フィルムシステムでは、患者の名前は撮影時にフィルムに光で焼きこむ方法や、フィルムを装填したカセッテ上に鉛でできたアルファベット文字などを組み合わせてテープで貼り付け、撮影と同時に名前が身体画像ともにＸ線によって焼き込まれる方法などが行われている。
【０００６】
【発明が解決しようとする課題】
ところで、撮影されたＸ線画像とその患者との取り違えは決して起こってはならない。特に病室を巡回してＸ線写真を撮影するポータブル撮影においては、一度に多人数の撮影が行われる。一方、フラットパネルディテクタを用いる撮影では画像情報がデジ夕ル化しており、従って、患者の特定情報との結合が可能である。この特定情報も患者のＩＣカードや病院発行の本人の磁気カードなどから読み取ることが簡便にでき、そして患者の画像情報と一体化することで画像情報の取り違えは未然に防ぐことが可能である。
【０００７】
この発明は、このような実情に鑑みてなされたもので、フラットパネルディテクタを用いて撮影する場合に医療過誤を未然に防止することが可能なＸ線画像撮影装置を提供することを目的としている。
【０００８】
【課題を解決するための手段】
前記課題を解決し、かつ目的を達成するために、この発明は、以下のように構成した。
【０００９】
請求項１に記載の発明は、『被写体のＸ線画像をフラットパネルディテクタで撮影するＸ線画像撮影装置において、
前記フラットパネルディテクタ内に、被写体の特定情報の読み込み装置と、被写体の特定情報の記憶回路を内蔵し、
前記撮影の直前もしくは直後に、前記被写体の特定情報を読み込み、前記被写体の特定情報と前記被写体の画像情報とを一体化して、前記フラットパネルディテクタに内蔵するメモリに保存することを特徴とするＸ線画像撮影装置。』である。
【００１０】
この請求項１に記載の発明によれば、フラットパネルディテクタ内に、被写体の特定情報の読み込み装置と、被写体の特定情報の記憶回路を内蔵し、撮影の直前もしくは直後に、被写体の特定情報を読み込み、被写体の特定情報と被写体の画像情報とを一体化して、フラットパネルディテクタに内蔵するメモリに保存するから、より確実に被写体の画像情報の取り違えを未然に防ぐことができる。また、フラットパネルディテクタ内に、被写体の特定情報の読み込み装置と、被写体の特定情報の記憶回路を内蔵するから、特にベッドサイドでの撮影においては、患者が携行するＩＣカードや磁気カードを用いることができ、あるいはベッドサイドにバーコードを添付しておき、それを撮影時に読み込むことで被写体の特定情報のＩＤ情報の獲得ができる。
【００１３】
請求項2に記載の発明は、『前記フラットパネルディテクタ内に内蔵されたメモリに保存された被写体の特定情報と画像情報を、前記フラットパネルディテクタから電磁波を用いて信号処理システムに送ることを特徴とする請求項１に記載のＸ線画像撮影装置。』である。
【００１４】
この請求項2に記載の発明によれば、フラットパネルディテクタ内に内蔵されたメモリに保存された被写体の特定情報と画像情報を、フラットパネルディテクタから電磁波を用いて信号処理システムに送ることで、例えば病院の集中管理情報システムに送ることにより、レセプトの作成など病院事務の効率化を図ることが可能となる。
【００１５】
請求項3に記載の発明は、『キーボードから入力した被写体の特定情報を読み込むことを特徴とする請求項１または請求項2に記載のＸ線画像撮影装置。』である。
【００１６】
この請求項3に記載の発明によれば、キーボードから入力した被写体の特定情報を読み込むことで、碓実にかつ簡便に被写体の特定情報を読み込むことができる。
【００１７】
請求項4に記載の発明は、『記憶媒体に記録された被写体の特定情報を読み込むことを特徴とする請求項１または請求項2に記載のＸ線画像撮影装置。』である。
【００１８】
この請求項4に記載の発明によれば、記憶媒体に記録された被写体の特定情報を読み込み、記憶媒体の記録が例えば磁気記録もしくはＩＣ内に電気信号としての記録を用いることで、碓実にかつ簡便に被写体の特定情報を読み込むことができる。
【００１９】
請求項5に記載の発明は、『バーコード化した被写体の特定情報を読み込むことを特徴とする請求項１または請求項2に記載のＸ線画像撮影装置。』である。
【００２０】
この請求項5に記載の発明によれば、バーコード化した被写体の特定情報を読み込むことで、碓実にかつ簡便に被写体の特定情報を読み込むことができる。
【００２３】
請求項6に記載の発明は、『前記被写体の特定情報に基づき、その被写体を表現する名
称や帰属する属属性と画像情報とを同一画面もしくは同一フィルム上に表示することを特
徴とする請求項１乃至請求項5のいずれかに１項に記載のＸ線画像撮影装置。』である。
【００２４】
この請求項6に記載の発明によれば、被写体の特定情報に基づき、その被写体を表現す
る名称や帰属する属属性と画像情報とを同一画面もしくは同一フィルム上に表示するから
、例えば画像情報と患者のＩＤ情報にもとづいた患者の名前、性別、年齢などを同一画面
もしくは同一ハードコピー上に表示することにより、画像の患者を確認することができる
。
【００２５】
【発明の実施の形態】
以下、この発明のＸ線画像撮影装置の一実施の形態について説明するが、もちろんこの他の実施の形態が多く存在することは自明である。
【００２６】
図１はＸ線画像撮影装置の構成を示す図である。Ｘ線画像撮影装置１は、移動可能な装置本体２に可動Ｘ線発生装置３が備えられている。この可動Ｘ線発生装置３からＸ線が放射され、ベッド４に横たわる患者５の背面にあるフラットパネルディテクタ（ＦＰＤ）６でＸ線画像の撮影が行われる。
【００２７】
図２及び図３はフラットパネルディテクタの構造の一例を示し、図２はフラットパネルディテクタの斜視図、図３はフラットパネルディテクタの分解斜視図である。フラットパネルディテクタ６は、被写体を通過して照射されるＸ線エネルギーを、Ｘ線透過画像として再構成するための電気信号に変換する機能を有し、画像診断のために必要な人体の部分を十分に覆う面積の平面をもつ、平板状のＸ線画像平面検出器であり、大きく２つの部分から形成され、上部２０はＸ線照射を受けて、それを電気信号に変換する部分であり、下部３０はその電気信号を処理する部分である。この下部３０の電気信号を処理する部分には、電源部３１、システムコントロール部３２、送信モジュール３３、アウトプリントプラグ３４が備えられ、さらにＩＤカード読取器３５、スイッチボックス３６、ＩＤ情報処理部３７、メモリ３８及び画像情報処理部３９が備えられている。
【００２８】
また、下部３０にはＩＤカード差込口４０があり、このＩＤカード差込口４０にベッド４に横たわる患者のＩＤカード４１を挿入することで、スイッチボックス３６のスイッチが入り通電されて、ＩＤカード読取器３５により通電されると同時に被写体の特定情報であるＩＤ情報が読み込まれ、Ｘ線像の撮影を開始する。
【００２９】
上部２０のＸ線照射を受けて、それを電気信号に変換する部分は、Ｘ線画像を電気信号に変換する手段が、ＣｓＩやガドリウムオキシサルファイドのようなＸ線を可視光線に変換するシンチレータと、ａ−Ｓｉなどの光半導体アレイでその光を電気信号に変換する部分からなり、またその光をレンズや光ファイバーで集光してССＤやＣＭＯＳアレイ等で電気信号に変換する部分、そしてａ−Ｓｅ、沃化鉛あるいはＣｄＺｎＴｅ等Ｘ線エネルギーによって電子と正孔を発生させて、それを感知するＴＦＴアレイの部分により構成される。
【００３０】
ここで得られてＸ線画像電気信号は、その下に位置する画像情報処理部３９に送られてデジタル信号でメモリ３８に記憶される。このとき、ＩＤカード読取器３５より読み取ったＩＤ情報は、ＩＤ情報処理部３７からメモリ３８へ送られ、画像情報とともに保存される。ここで得られたＩＤ情報が結合された画像情報は、アウトプリントプラグ３４によりパソコン等に接続することで、送信モジュール３３によってパソコン等の画像表示システムに送られ、ここで必要ならば更に画像処理された後にСＲＴ画面に表示するか、もしくはレーザーイメージャによってフィルム上に画像とＩＤ情報を同時に焼き込む。
【００３１】
このようにＸ線画像をフラットパネルディテクタ６で撮影するとき、撮影の直前もしくは直後に、被写体（例えば患者）の特定情報であるＩＤ情報を読み取り、画像情報とともに保存する。被写体のＩＤ情報と画像情報を一体化してフラットパネルディテクタ６に内蔵するメモリ３８に保存する。フラットパネルディテクタ６内に内蔵されたメモリ３８に保存された被写体のＩＤ情報と画像情報をフラットパネルディテクタ６から電磁波を用いて信号処理システムに情報を移動する。
【００３２】
また、  被写体の画像情報の読み込みは、キーボードから入力した被写体の画像情報を読み込むことができ、また磁気記録もしくはＩＣ内に電気信号として記録された被写体のＩＤ情報を読み込むことができ、さらにバーコード化した被写体のＩＤ情報を読み込むこともできる。
【００３３】
とくに、ベッドサイドでの撮影においては、患者が携行するＩＣカードや磁気カードを用いることができる。あるいはベッドサイドにバーコードを添付しておき、それを撮影時に読み込むことでＩＤ情報の獲得ができる。
【００３４】
図４はＸ線画像にＩＤ情報を結合して表示する例を示す図である。被写体の特定情報であるＩＤ情報５０に基づき、その被写体を表現する名称や帰属する属性と画像情報５１とを同一画面もしくは同一フィルム６０上に表示する。このようにすることで、常にＩＤ情報５０と画像情報５１が同時に動き、画像情報と患者のＩＤ情報に基づいた患者の名前、性別、年齢などを同一画面もしくは同一ハードコピー上に表示することにより、画像の患者を確認することができる画像情報の取り違えを未然に防ぐことができる。
【００３５】
【発明の効果】
前記したように、請求項１に記載の発明では、フラットパネルディテクタ内に、被写体の特定情報の読み込み装置と、被写体の特定情報の記憶回路を内蔵し、撮影の直前もしくは直後に、被写体の特定情報を読み込み、被写体の特定情報と被写体の画像情報とを一体化して、フラットパネルディテクタに内蔵するメモリに保存するから、より確実に被写体の画像情報の取り違えを未然に防ぐことができる。また、フラットパネルディテクタ内に、被写体の特定情報の読み込み装置と、被写体の特定情報の記憶回路を内蔵するから、特にベッドサイドでの撮影においては、患者が携行するＩＣカードや磁気カードを用いることができ、あるいはベッドサイドにバーコードを添付しておき、それを撮影時に読み込むことで被写体の特定情報のＩＤ情報の獲得ができる。
【００３７】
請求項2に記載の発明では、フラットパネルディテクタ内に内蔵されたメモリに保存された被写体の特定情報と画像情報を、フラットパネルディテクタから電磁波を用いて信号処理システムに送ることで、例えば病院の集中管理情報システムに送ることにより、レセプトの作成など病院事務の効率化を図ることが可能となる。
【００３８】
請求項3に記載の発明では、キーボードから入力した被写体の特定情報を読み込むことで、碓実にかつ簡便に被写体の特定情報を読み込むことができる。
【００３９】
請求項4に記載の発明では、記憶媒体に記録された被写体の特定情報を読み込み、記憶媒体の記録が例えば磁気記録もしくはＩＣ内に電気信号としての記録を用いることで、碓実にかつ簡便に被写体の特定情報を読み込むことができる。
【００４０】
請求項5に記載の発明では、バーコード化した被写体の特定情報を読み込むことで、碓実にかつ簡便に被写体の特定情報を読み込むことができる。
【００４２】
請求項6に記載の発明では、被写体の特定情報に基づき、その被写体を表現する名称や帰属する属属性と画像情報とを同一画面もしくは同一フィルム上に表示するから、例えば画像情報と患者のＩＤ情報にもとづいた患者の名前、性別、年齢などを同一画面もしくは同一ハードコピー上に表示することにより、画像の患者を確認することができる。
【図面の簡単な説明】
【図１】Ｘ線画像撮影装置の構成を示す図である。
【図２】フラットパネルディテクタの斜視図である。
【図３】フラットパネルディテクタの分解斜視図である。
【図４】Ｘ線画像にＩＤ情報を結合して表示する例を示す図である。
【符号の説明】
１  Ｘ線画像撮影装置
６  フラットパネルディテクタ
【図１】
0003791579.tif 000002
【図２】
0003791579.tif 000003
【図３】
0003791579.tif 000004
【図４】
0003791579.tif 000005